(57)【要約】【課題】蓄電装置の適切な利用を支援するためのサーバ装置の制御方法を提供する。【解決手段】サーバ装置の制御方法は、充電装置の個体識別情報を含む充電装置の識別情報と充電装置に接続された蓄電装置の個体識別情報を含む蓄電装置の識別情報とを充電装置及び蓄電装置の少なくとも一方から受信するステップ（Ｓ１０１）と、受信した蓄電装置の識別情報と充電装置の識別情報とから蓄電装置の充電の可否を判定するステップ（Ｓ１０２）と、判定された蓄電装置の充電の可否を示す情報を充電装置及び蓄電装置の少なくとも一方に送信するステップ（Ｓ１０３）とを備える。【選択図】図５
2017123768.tif 000002
【特許請求の範囲】
【請求項１】
充電装置の個体識別情報を含む前記充電装置の識別情報と前記充電装置に接続された蓄電装置の個体識別情報を含む前記蓄電装置の識別情報とを前記充電装置及び前記蓄電装置の少なくとも一方から受信するステップ（ａ）と、
前記ステップ（ａ）で受信した前記蓄電装置の識別情報と前記充電装置の識別情報とから前記蓄電装置の充電の可否を判定するステップ（ｂ）と、
判定された前記蓄電装置の充電の可否を示す情報を前記充電装置及び前記蓄電装置の少なくとも一方に送信するステップ（ｃ）とを備える
サーバ装置の制御方法。
【請求項２】
前記蓄電装置の識別情報と前記充電装置の識別情報とを対応付けて前記サーバ装置の記憶器に記憶させるステップ（ｄ）を備え、
前記ステップ（ｂ）において、
受信した前記蓄電装置の識別情報と前記充電装置の識別情報との対応が前記記憶器で記憶された前記蓄電装置の識別情報と前記充電装置の識別情報との対応に一致する場合、前記蓄電装置の充電を可と判定し、
受信した前記蓄電装置の識別情報と前記充電装置の識別情報との対応が前記記憶器で記憶された前記蓄電装置の識別情報と前記充電装置の識別情報との対応に一致しない場合、前記蓄電装置の充電を不可と判定する、
請求項１記載のサーバ装置の制御方法。
【請求項３】
前記蓄電装置の識別情報と前記充電装置の識別情報とを対応付けて前記サーバ装置の記憶器に記憶させるステップ（ｄ）を備え、
前記ステップ（ｂ）において、
受信した前記蓄電装置の識別情報と前記充電装置の識別情報との対応が前記記憶器で記憶された前記蓄電装置の識別情報と前記充電装置の識別情報との対応に一致する場合、前記蓄電装置の充電を可と判定し、
受信した前記蓄電装置の識別情報と前記充電装置の識別情報との対応が前記記憶器で記憶された前記蓄電装置の識別情報と前記充電装置の識別情報との対応に一致しない場合、前記蓄電装置の充電の可否の問い合わせを外部の通信端末に送信し、
前記問い合わせが前記外部の通信端末に送信された後、
前記外部の通信端末から前記蓄電装置の充電が不可であることを示す応答情報を受信すると、前記蓄電装置の充電を不可と判定し、
前記外部の通信端末から前記蓄電装置の充電が可であることを示す応答情報を受信すると、前記蓄電装置の充電を可と判定する、
請求項１記載のサーバ装置の制御方法。
【請求項４】
前記外部の通信端末から前記蓄電装置の充電が可であることを示す応答情報を受信すると、受信した前記蓄電装置の識別情報と前記充電装置の識別情報とを対応付けて前記記憶器に記憶させるステップ（ｅ）を備える、
請求項３記載のサーバ装置の制御方法。
【請求項５】
前記蓄電装置が盗難されたことを示す情報と、盗難された前記蓄電装置の識別情報とを受信するステップ（ｆ）と、
前記ステップ（ａ）で受信した前記蓄電装置の識別情報が、盗難された前記蓄電装置の識別情報であるとき、前記ステップ（ａ）で受信した前記蓄電装置の識別情報と前記充電装置の識別情報との対応に依らず、前記蓄電装置の充電を不可と判定し、前記蓄電装置の充電が不可であることを示す情報を前記充電装置及び前記蓄電装置の少なくとも一方に送信するステップ（ｇ）とを備える、
請求項１〜４のいずれか１項に記載のサーバ装置の制御方法。
【請求項６】
前記蓄電装置の識別情報は、更に、前記蓄電装置の製造情報、及び前記蓄電装置の設計情報の少なくとも一方を含む、
請求項１〜５のいずれか１項に記載のサーバ装置の制御方法。
【請求項７】
前記充電装置の識別情報は、更に、前記充電装置の製造情報、及び前記充電装置の設計情報の少なくとも一方を含む、
請求項１〜６のいずれか１項に記載のサーバ装置の制御方法。
【請求項８】
前記ステップ（ａ）において、前記充電装置の識別情報及び前記蓄電装置の識別情報とともに前記蓄電装置のセキュリティキー及び前記充電装置のセキュリティキーを受信し、
受信した前記蓄電装置のセキュリティキー及び前記充電装置のセキュリティキーに基づき前記蓄電装置の識別情報及び前記充電装置の識別情報の読み取りの可否を決定するステップ（ｈ）を備え、
前記ステップ（ｂ）では、前記ステップ（ｈ）で前記蓄電装置の識別情報及び前記充電装置の識別情報の読み取りが可と決定されると、前記蓄電装置の識別情報及び前記充電装置の識別情報を読み取り、読み取った前記蓄電装置の識別情報と前記充電装置の識別情報とから前記蓄電装置の充電の可否を判定する、
請求項１〜７のいずれか１項に記載のサーバ装置の制御方法。
【請求項９】
充電装置の個体識別情報を含む前記充電装置の識別情報と前記充電装置に接続された蓄電装置の個体識別情報を含む前記蓄電装置の識別情報とを前記充電装置及び前記蓄電装置の少なくとも一方から受信する受信器と、
前記受信器で受信した前記蓄電装置の識別情報と前記充電装置の識別情報とから前記蓄電装置の充電の可否を判定する判定器と、
前記判定器で判定された前記蓄電装置の充電の可否を示す情報を前記充電装置及び前記蓄電装置の少なくとも一方に送信する送信器とを備える
サーバ装置。
【発明の詳細な説明】
【技術分野】
【０００１】
本開示は、サーバ装置の制御方法等に関する。
【背景技術】
【０００２】
従来、蓄電装置を充電するための様々な充電システムが提案されている。特許文献１に記載の充電システムは、その一例である。
【先行技術文献】
【特許文献】
【０００３】
【特許文献１】特開２００４−２２２４５７号公報
【発明の概要】
【発明が解決しようとする課題】
【０００４】
しかしながら、蓄電装置は、常に適切に利用されるとは限られず、不適切に利用される可能性がある。
【０００５】
上記事情を鑑み、限定的ではない例示的なある実施の形態は、蓄電装置の適切な利用を支援するためのサーバ装置の制御方法等を提供する。
【課題を解決するための手段】
【０００６】
本開示の一態様に係るサーバ装置の制御方法は、充電装置の個体識別情報を含む前記充電装置の識別情報と前記充電装置に接続された蓄電装置の個体識別情報を含む前記蓄電装置の識別情報とを前記充電装置及び前記蓄電装置の少なくとも一方から受信するステップ（ａ）と、前記ステップ（ａ）で受信した前記蓄電装置の識別情報と前記充電装置の識別情報とから前記蓄電装置の充電の可否を判定するステップ（ｂ）と、判定された前記蓄電装置の充電の可否を示す情報を前記充電装置及び前記蓄電装置の少なくとも一方に送信するステップ（ｃ）とを備える。
【０００７】
なお、これらの包括的または具体的な態様は、システム、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００８】
本開示の一態様に係るサーバ装置の制御方法等によって、蓄電装置の適切な利用が支援される。
【図面の簡単な説明】
【０００９】
【図１】図１は、実施の形態における充電システムを示す概念図である。
【図２】図２は、実施の形態における蓄電装置および充電装置等の構成を示すブロック図である。
【図３】図３は、実施の形態における充電装置から識別情報が送信される場合のデータ遷移を示す概念図である。
【図４】図４は、実施の形態における蓄電装置から識別情報が送信される場合のデータ遷移を示す概念図である。
【図５】図５は、実施の形態におけるサーバ装置の動作を示すフローチャートである。
【図６】図６は、実施の形態における充電システムの動作を示すフローチャートである。
【図７】図７は、実施の形態における充電システムの動作を示すフローチャートである。
【図８】図８は、実施の形態における充電システムの動作を示すフローチャートである。
【図９】図９は、実施の形態における充電システムの動作の第１変形例を示すフローチャートである。
【図１０】図１０は、実施の形態における充電システムの動作の第２変形例を示すフローチャートである。
【図１１】図１１は、実施の形態における充電システムの動作の第３変形例を示すフローチャートである。
【発明を実施するための形態】
【００１０】
（本開示の基礎となった知見）
本発明者は、蓄電装置の利用に関し、検討によって課題を見出した。以下、具体的に説明する。
【００１１】
近年、蓄電装置で動作する電気機器が普及している。電動アシスト自転車は、その一例である。例えば、電気機器の利用者は、電気機器を動作させるための蓄電装置を購入し、購入した蓄電装置で電気機器を動作させる。最近では、電気機器の利用者が、電気機器を動作させるための蓄電装置を借りて、借りた蓄電装置で電気機器を動作させることを可能にするための蓄電装置の貸与システムも検討され始めている。
【００１２】
例えば、このような貸与システムは、借用者に貸与された蓄電装置の充電の情報を収集し、収集された情報を借用者に対する課金に反映してもよい。つまり、貸与システムは、蓄電装置の充電に応じて蓄電装置の利用料金を算出してもよい。これにより、貸与システムは、蓄電装置の借用者に対して蓄電装置の利用に応じて適切に課金を行うことができる。
【００１３】
しかしながら、借用者に貸与された蓄電装置が借用者から盗難される可能性がある。そして、蓄電装置を盗難した不正者が、その蓄電装置を充電して利用する可能性がある。これにより、充電の情報が収集され、借用者に対して不適切な課金が行われる可能性がある。また、蓄電装置を盗難した不正者によって蓄電装置が不適切に利用される可能性がある。
【００１４】
また、上記のような貸与システムにおける蓄電装置に限られず、蓄電装置は適切に利用されるように適切に制御された方がよい。
【００１５】
そこで、本開示の第１態様に係るサーバ装置の制御方法は、充電装置の個体識別情報を含む前記充電装置の識別情報と前記充電装置に接続された蓄電装置の個体識別情報を含む前記蓄電装置の識別情報とを前記充電装置及び前記蓄電装置の少なくとも一方から受信するステップ（ａ）と、前記ステップ（ａ）で受信した前記蓄電装置の識別情報と前記充電装置の識別情報とから前記蓄電装置の充電の可否を判定するステップ（ｂ）と、判定された前記蓄電装置の充電の可否を示す情報を前記充電装置及び前記蓄電装置の少なくとも一方に送信するステップ（ｃ）とを備える。
【００１６】
これにより、蓄電装置の識別情報と充電装置の識別情報との両方が、充電の可否の判定に用いられる。充電装置は、蓄電装置に比べて、外に持ち出されて利用される可能性は低く、充電装置の所有者以外の不正者によって利用される可能性は低い。したがって、蓄電装置の識別情報と充電装置の識別情報との両方が用いられることで、不正者により蓄電装置が利用されることを抑制することが可能である。よって、蓄電装置の適切な利用が支援される。
【００１７】
また、本開示の第２態様のサーバ装置の制御方法は、上記第１態様のサーバ装置の制御方法において、例えば、前記蓄電装置の識別情報と前記充電装置の識別情報とを対応付けて前記サーバ装置の記憶器に記憶させるステップ（ｄ）を備え、前記ステップ（ｂ）において、受信した前記蓄電装置の識別情報と前記充電装置の識別情報との対応が前記記憶器で記憶された前記蓄電装置の識別情報と前記充電装置の識別情報との対応に一致する場合、前記蓄電装置の充電を可と判定し、受信した前記蓄電装置の識別情報と前記充電装置の識別情報との対応が前記記憶器で記憶された前記蓄電装置の識別情報と前記充電装置の識別情報との対応に一致しない場合、前記蓄電装置の充電を不可と判定してもよい。
【００１８】
これにより、記憶器に記憶された情報に基づいて、蓄電装置の充電の可否が適切に判定される。
【００１９】
また、本開示の第３態様のサーバ装置の制御方法は、第１態様のサーバ装置の制御方法において、例えば、前記蓄電装置の識別情報と前記充電装置の識別情報とを対応付けて前記サーバ装置の記憶器に記憶させるステップ（ｄ）を備え、前記ステップ（ｂ）において、受信した前記蓄電装置の識別情報と前記充電装置の識別情報との対応が前記記憶器で記憶された前記蓄電装置の識別情報と前記充電装置の識別情報との対応に一致する場合、前記蓄電装置の充電を可と判定し、受信した前記蓄電装置の識別情報と前記充電装置の識別情報との対応が前記記憶器で記憶された前記蓄電装置の識別情報と前記充電装置の識別情報との対応に一致しない場合、前記蓄電装置の充電の可否の問い合わせを外部の通信端末に送信し、前記問い合わせが前記外部の通信端末に送信された後、前記外部の通信端末から前記蓄電装置の充電が不可であることを示す応答情報を受信すると、前記蓄電装置の充電を不可と判定し、前記外部の通信端末から前記蓄電装置の充電が可であることを示す応答情報を受信すると、前記蓄電装置の充電を可と判定してもよい。
【００２０】
これにより、記憶器に記憶された情報、または、問い合わせに対する応答に基づいて、蓄電装置の充電の可否が適切に判定される。また、問い合わせが送信される外部の通信端末は、例えば、蓄電装置の正当な保有者が有する通信端末、および、充電装置の正当な保有者が有する通信端末のうち少なくとも一方である。これにより、蓄電装置の正当な保有者、および、充電装置の正当な保有者のうち少なくとも一方に対して、充電の可否を問い合わせることが可能である。
【００２１】
また、本開示の第４態様のサーバ装置の制御方法は、第３態様のサーバ装置の制御方法において、例えば、前記外部の通信端末から前記蓄電装置の充電が可であることを示す応答情報を受信すると、受信した前記蓄電装置の識別情報と前記充電装置の識別情報とを対応付けて前記記憶器に記憶させるステップ（ｅ）を備えてもよい。
【００２２】
これにより、問い合わせに対する応答に基づいて、蓄電装置の識別情報と充電装置の識別情報とが適切に対応付けられて記憶器に記憶される。
【００２３】
また、本開示の第５態様のサーバ装置の制御方法は、第１態様−第４態様のいずれか一つのサーバ装置の制御方法において、例えば、前記蓄電装置が盗難されたことを示す情報と、盗難された前記蓄電装置の識別情報とを受信するステップ（ｆ）と、前記ステップ（ａ）で受信した前記蓄電装置の識別情報が、盗難された前記蓄電装置の識別情報であるとき、前記ステップ（ａ）で受信した前記蓄電装置の識別情報と前記充電装置の識別情報との対応に依らず、前記蓄電装置の充電を不可と判定し、前記蓄電装置の充電が不可であることを示す情報を前記充電装置及び前記蓄電装置の少なくとも一方に送信するステップ（ｇ）とを備えてもよい。
【００２４】
これにより、盗難された蓄電装置が利用されることを抑制することが可能である。したがって、蓄電装置の不適切な利用が抑制され、蓄電装置の適切な利用が支援される。
【００２５】
また、本開示の第６態様のサーバ装置の制御方法は、第１態様−第５態様のいずれか一つのサーバ装置の制御方法において、例えば、前記蓄電装置の識別情報は、更に、前記蓄電装置の製造情報、及び前記蓄電装置の設計情報の少なくとも一方を含んでもよい。
【００２６】
これにより、蓄電装置の識別情報に対する信憑性が高められる。また、蓄電装置の製造情報または設計情報に従って、蓄電装置の充電の可否が適切に判定される。したがって、蓄電装置の不適切な利用が抑制される。
【００２７】
また、本開示の第７態様のサーバ装置の制御方法は、第１態様−第６態様のいずれか一つのサーバ装置の制御方法において、例えば、前記充電装置の識別情報は、更に、前記充電装置の製造情報、及び前記充電装置の設計情報の少なくとも一方を含んでもよい。
【００２８】
これにより、充電装置の識別情報に対する信憑性が高められる。また、充電装置の製造情報または設計情報に従って、蓄電装置の充電の可否が適切に判定される。したがって、蓄電装置の不適切な利用が抑制される。
【００２９】
また、本開示の第８態様のサーバ装置の制御方法は、第１態様−第７態様のいずれか一つのサーバ装置の制御方法において、例えば、前記ステップ（ａ）において、前記充電装置の識別情報及び前記蓄電装置の識別情報とともに前記蓄電装置のセキュリティキー及び前記充電装置のセキュリティキーを受信し、受信した前記蓄電装置のセキュリティキー及び前記充電装置のセキュリティキーに基づき前記蓄電装置の識別情報及び前記充電装置の識別情報の読み取りの可否を決定するステップ（ｈ）を備え、前記ステップ（ｂ）では、前記ステップ（ｈ）で前記蓄電装置の識別情報及び前記充電装置の識別情報の読み取りが可と決定されると、前記蓄電装置の識別情報及び前記充電装置の識別情報を読み取り、読み取った前記蓄電装置の識別情報と前記充電装置の識別情報とから前記蓄電装置の充電の可否を判定してもよい。
【００３０】
これにより、蓄電装置の識別情報および充電装置の識別情報に対する信憑性が高められる。したがって、蓄電装置の不適切な利用が抑制される。
【００３１】
また、例えば、本開示の第９態様に係るサーバ装置は、充電装置の個体識別情報を含む前記充電装置の識別情報と前記充電装置に接続された蓄電装置の個体識別情報を含む前記蓄電装置の識別情報とを前記充電装置及び前記蓄電装置の少なくとも一方から受信する受信器と、前記受信器で受信した前記蓄電装置の識別情報と前記充電装置の識別情報とから前記蓄電装置の充電の可否を判定する判定器と、前記判定器で判定された前記蓄電装置の充電の可否を示す情報を前記充電装置及び前記蓄電装置の少なくとも一方に送信する送信器とを備える。
【００３２】
これにより、サーバ装置は、蓄電装置の識別情報と充電装置の識別情報との両方を充電の可否の判定に用いることができる。充電装置は、蓄電装置に比べて、外に持ち出されて利用される可能性は低く、充電装置の所有者以外の不正者によって利用される可能性は低い。したがって、蓄電装置の識別情報と充電装置の識別情報との両方が用いられることで、不正者により蓄電装置が利用されることを抑制することが可能である。よって、サーバ装置は、蓄電装置の適切な利用を支援することができる。
【００３３】
なお、これらの包括的または具体的な態様は、システム、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。
【００３４】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００３５】
（実施の形態）
図１は、本実施の形態における充電システムを示す概念図である。図１に示された充電システム１００は、蓄電装置１０１、充電装置１０２、ルータ１０３、サーバ装置１０４、および、通信端末１０５を備える。
【００３６】
蓄電装置１０１は、充放電が行われる蓄電装置である。蓄電装置１０１は、蓄電池パックとも呼ばれる。具体的には、蓄電装置１０１は、蓄電池を含む。また、例えば、蓄電装置１０１は、貸与業者から貸し出され、電動アシスト自転車等のような電気機器に接続される。そして、蓄電装置１０１が接続された電気機器は、蓄電装置１０１の放電によって動作する。また、蓄電装置１０１は、充電装置１０２に接続され、充電される。
【００３７】
充電のための蓄電装置１０１と充電装置１０２との間の接続は、物理的な接続に限られず、電気的な接続でもよい。例えば、蓄電装置１０１と充電装置１０２とは、非接触充電を行うため、物理的に接続されず、電気的に接続されてもよい。
【００３８】
また、蓄電装置１０１は、蓄電装置１０１が接続された充電装置１０２と通信可能である。また、蓄電装置１０１は、ルータ１０３等を介して、サーバ装置１０４と通信可能であってもよい。また、蓄電装置１０１は、ルータ１０３等を介さず、直接、サーバ装置１０４と通信可能であってもよい。これらの通信には、有線通信が適用されてもよいし、無線通信が適用されてもよい。
【００３９】
例えば、蓄電装置１０１と充電装置１０２とが接続されるため、有線通信が蓄電装置１０１と充電装置１０２との間の通信に適用されてもよい。あるいは、Ｂｌｕｅｔｏｏｔｈ（登録商標）に代表される近距離無線通信の国際標準規格であるＩＥＥＥ８０２．１５．１規格が蓄電装置１０１と充電装置１０２との間の通信に適用されてもよい。
【００４０】
また、蓄電装置１０１とルータ１０３との間の通信には、無線ＬＡＮ（Ｌｏｃａｌ  Ａｒｅａ  Ｎｅｔｗｏｒｋ）またはＷｉ−Ｆｉ（登録商標）に代表される無線通信の国際標準規格であるＩＥＥＥ８０２．１１規格が適用されてもよい。
【００４１】
充電装置１０２は、蓄電装置１０１を充電するための充電器である。充電装置１０２は、貸与業者から貸し出される充電器でもよい。例えば、充電装置１０２は、電力系統から供給される交流電力を所定の電圧の直流電力に変換して、所定の電圧の直流電力を蓄電装置１０１に供給することにより、蓄電装置１０１を充電する。
【００４２】
また、充電装置１０２は、充電装置１０２に接続された蓄電装置１０１と通信可能である。また、充電装置１０２は、ルータ１０３等を介して、サーバ装置１０４と通信可能であってもよい。また、充電装置１０２は、ルータ１０３等を介さず、直接、サーバ装置１０４と通信可能であってもよい。これらの通信には、有線通信が適用されてもよいし、無線通信が適用されてもよい。
【００４３】
例えば、充電装置１０２とルータ１０３との間の通信には、有線ＬＡＮに代表される有線通信の国際規格であるＩＥＥＥ８０２．３規格が適用されてもよい。あるいは、充電装置１０２とルータ１０３との間の通信には、無線ＬＡＮまたはＷｉ−Ｆｉ（登録商標）に代表される無線通信の国際標準規格であるＩＥＥＥ８０２．１１規格が適用されてもよい。
【００４４】
ルータ１０３は、通信を中継するための装置である。具体的には、ルータ１０３は、蓄電装置１０１または充電装置１０２と通信可能である。また、ルータ１０３は、例えばインターネット等の通信網を介して、サーバ装置１０４と通信可能である。そして、蓄電装置１０１とサーバ装置１０４との間の通信、または、充電装置１０２とサーバ装置１０４との間の通信を中継する。これらの通信には、有線通信が適用されてもよいし、無線通信が適用されてもよい。
【００４５】
例えば、ルータ１０３は、無線で蓄電装置１０１または充電装置１０２と通信し、有線でサーバ装置１０４と通信してもよい。ルータ１０３とサーバ装置１０４との間の通信の一部には、有線ＬＡＮに代表される有線通信の国際規格であるＩＥＥＥ８０２．３規格が適用されてもよい。また、ルータ１０３は、蓄電装置１０１および充電装置１０２のうち一方と通信可能でもよいし、両方と通信可能でもよい。
【００４６】
サーバ装置１０４は、本開示のサーバ装置の一例であって、蓄電装置１０１の適切な利用を支援するためのサーバ装置である。サーバ装置１０４は、コンピュータ等のような情報処理装置でもよい。また、サーバ装置１０４は、複数の装置で構成されていてもよい。
【００４７】
例えば、サーバ装置１０４は、インターネット等の通信網を介して、ルータ１０３と通信可能である。そして、サーバ装置１０４は、ルータ１０３等を介して、蓄電装置１０１または充電装置１０２と通信可能である。あるいは、サーバ装置１０４は、ルータ１０３等を介さず、直接、蓄電装置１０１または充電装置１０２と通信可能でもよい。
【００４８】
また、サーバ装置１０４は、蓄電装置１０１および充電装置１０２のうち一方と通信可能であってもよいし、両方と通信可能であってもよい。また、サーバ装置１０４は、通信端末１０５と通信可能でもよい。これらの通信には、有線通信が適用されてもよいし、無線通信が適用されてもよい。
【００４９】
例えば、サーバ装置１０４と通信端末１０５との間の通信には、第３世代移動通信システム（３Ｇ）、第４世代移動通信システム（４Ｇ）、または、ＬＴＥ（登録商標）等のような移動通信システムで利用される通信規格が適用されてもよい。より具体的には、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００またはＩＭＴ−Ａｄｖａｎｃｅｄ等が適用されてもよい。
【００５０】
通信端末１０５は、サーバ装置１０４等と通信可能な装置である。通信端末１０５は、コンピュータ等のような情報処理装置でもよい。より具体的には、通信端末１０５は、携帯端末でもよいし、携帯電話でもよいし、スマートフォンでもよい。また、通信端末１０５は、蓄電装置１０１の正当な保有者が有する通信端末でもよいし、充電装置１０２の正当な保有者が有する通信端末でもよい。
【００５１】
図２は、図１に示された蓄電装置１０１および充電装置１０２等の構成を示すブロック図である。
【００５２】
蓄電装置１０１は、蓄電池１１１、検知器１１２、制御器１１３、通信器１１４、表示器１１５、通信器１１６および記憶器１１７を備える。
【００５３】
蓄電池１１１は、電気エネルギーを蓄積するための構成要素であり、二次電池または充電式電池とも呼ばれる。蓄電池１１１は、セルでもよいし、素電池でもよいし、電池ブロックでもよいし、組電池でもよい。
【００５４】
検知器１１２は、蓄電池１１１の状態を検知するための構成要素である。例えば、検知器１１２は、蓄電池１１１の充電電圧、放電電圧および内部抵抗等を検知する。検知器１１２は、具体的には、電圧計でもよいし、電流計でもよい。
【００５５】
制御器１１３は、蓄電装置１０１の動作を制御するための構成要素である。例えば、制御器１１３は、蓄電池１１１の充電または放電を制御するコンバータ（図示せず）を制御してもよい。制御器１１３は、充電装置１０２から通信器１１４を介して充電の指示を取得し、充電の指示に従って、蓄電池１１１の充電を制御してもよい。また、制御器１１３は、検知器１１２から蓄電池１１１の状態を取得し、蓄電池１１１の状態に従って、蓄電池１１１の充電または放電を制御してもよい。
【００５６】
また、制御器１１３は、検知器１１２から蓄電池１１１の状態を取得し、蓄電池１１１の状態を表示器１１５に表示させてもよい。また、制御器１１３は、通信器１１４を介して、蓄電池１１１の状態を充電装置１０２へ通知してもよい。また、制御器１１３は、通信器１１６等を介して、蓄電池１１１の状態をサーバ装置１０４へ通知してもよい。また、制御器１１３は、蓄電池１１１の状態を記憶器１１７に記憶させてもよい。
【００５７】
また、制御器１１３は、記憶器１１７から蓄電装置１０１の識別情報を取得し、通信器１１４を介して充電装置１０２へ蓄電装置１０１の識別情報を送信してもよい。あるいは、制御器１１３は、記憶器１１７から蓄電装置１０１の識別情報を取得し、充電装置１０２から通信器１１４を介して充電装置１０２の識別情報を取得してもよい。そして、制御器１１３は、通信器１１６等を介してサーバ装置１０４へ蓄電装置１０１の識別情報と充電装置１０２の識別情報とを送信してもよい。
【００５８】
また、制御器１１３は、サーバ装置１０４から通信器１１６等を介して蓄電装置１０１の充電の可否を示す情報を取得してもよい。あるいは、制御器１１３は、充電装置１０２から通信器１１４を介して蓄電装置１０１の充電の可否を示す情報を取得してもよい。
【００５９】
そして、制御器１１３は、充電の可否を示す情報に従って、充電の可否を制御してもよい。つまり、制御器１１３は、充電の可否を示す情報が充電可を示すとき、蓄電池１１１の充電を許可し、充電の可否を示す情報が充電不可を示すとき、蓄電池１１１の充電を禁止してもよい。
【００６０】
また、制御器１１３は、演算処理器と、プログラムを記憶する記憶器とを備えてもよい。制御器１１３の演算処理器は、ＭＰＵまたはＣＰＵでもよい。制御器１１３の記憶器は、揮発性メモリでもよいし、不揮発性メモリでもよい。制御器１１３は、集中制御を行う単独の制御器で構成されていてもよいし、互いに協働して分散制御を行う複数の制御器で構成されていてもよい。
【００６１】
通信器１１４は、蓄電装置１０１が充電装置１０２等と通信するための構成要素である。通信器１１４は、通信インタフェースを含む処理回路でもよい。具体的には、通信器１１４は、制御器１１３が行う制御に従って、充電装置１０２と通信する。
【００６２】
例えば、通信器１１４は、充電装置１０２へ蓄電装置１０１の識別情報を送信してもよい。また、通信器１１４は、充電装置１０２から充電装置１０２の識別情報を受信してもよい。また、通信器１１４は、充電装置１０２から蓄電装置１０１の充電の可否を示す情報を受信してもよい。また、通信器１１４は、蓄電池１１１の状態を示す情報を充電装置１０２へ送信してもよい。
【００６３】
上記の通り、蓄電装置１０１と充電装置１０２とが接続されるため、通信器１１４は、有線通信で充電装置１０２と通信してもよい。あるいは、通信器１１４は、Ｂｌｕｅｔｏｏｔｈ（登録商標）に代表される近距離無線通信の国際標準規格であるＩＥＥＥ８０２．１５．１規格に基づいて、充電装置１０２と通信してもよい。
【００６４】
表示器１１５は、情報を表示するための構成要素である。具体的には、表示器１１５は、液晶パネルでもよいし、インジケータでもよい。例えば、表示器１１５は、制御器１１３が行う制御に従って、蓄電池１１１の状態を表示してもよい。
【００６５】
通信器１１６は、蓄電装置１０１がサーバ装置１０４等と通信するための構成要素である。通信器１１６は、通信インタフェースを含む処理回路でもよい。具体的には、通信器１１６は、制御器１１３が行う制御に従って、ルータ１０３を介して、サーバ装置１０４と通信する。
【００６６】
例えば、通信器１１６は、サーバ装置１０４へルータ１０３を介して蓄電装置１０１の識別情報と充電装置１０２の識別情報とを送信してもよい。また、通信器１１６は、サーバ装置１０４からルータ１０３を介して蓄電装置１０１の充電の可否を示す情報を受信してもよい。
【００６７】
また、通信器１１６は、ルータ１０３を介してサーバ装置１０４と通信する際、無線ＬＡＮまたはＷｉ−Ｆｉ（登録商標）に代表される無線通信の国際標準規格であるＩＥＥＥ８０２．１１規格に基づいて、ルータ１０３と通信してもよい。
【００６８】
記憶器１１７は、情報を記憶するための構成要素である。具体的には、記憶器１１７は、不揮発性メモリでもよい。また、記憶器１１７は、読み取り専用のメモリ、つまり、書き換え不可のメモリでもよい。例えば、記憶器１１７には、蓄電装置１０１の識別情報が記憶されている。
【００６９】
充電装置１０２は、制御器１２３、通信器１２４、表示器１２５、通信器１２６、記憶器１２７および電源１２８を備える。
【００７０】
制御器１２３は、充電装置１０２の動作を制御するための構成要素である。例えば、制御器１２３は、充電装置１０２に設けられた、蓄電装置１０１の充電を制御するコンバータ（図示せず）を制御してもよい。あるいは、制御器１２３は、電源１２８の電力供給を制御することにより、蓄電装置１０１の充電を制御してもよい。
【００７１】
制御器１２３は、蓄電装置１０１から通信器１２４を介して蓄電池１１１の状態を取得し、蓄電池１１１の状態に従って蓄電装置１０１の充電を制御してもよい。また、制御器１２３は、蓄電池１１１の状態を表示器１２５に表示させてもよい。また、制御器１２３は、通信器１２６等を介して、蓄電池１１１の状態をサーバ装置１０４へ通知してもよい。また、制御器１２３は、蓄電池１１１の状態を記憶器１２７に記憶させてもよい。
【００７２】
また、制御器１２３は、記憶器１２７から充電装置１０２の識別情報を取得し、通信器１２４を介して蓄電装置１０１へ充電装置１０２の識別情報を送信してもよい。あるいは、制御器１２３は、記憶器１２７から充電装置１０２の識別情報を取得し、蓄電装置１０１から通信器１２４を介して蓄電装置１０１の識別情報を取得してもよい。そして、制御器１２３は、通信器１２６等を介してサーバ装置１０４へ蓄電装置１０１の識別情報と充電装置１０２の識別情報とを送信してもよい。
【００７３】
また、制御器１２３は、サーバ装置１０４から通信器１２６等を介して蓄電装置１０１の充電の可否を示す情報を取得してもよい。あるいは、制御器１２３は、蓄電装置１０１から通信器１２４を介して蓄電装置１０１の充電の可否を示す情報を取得してもよい。
【００７４】
そして、制御器１２３は、充電の可否を示す情報に従って、充電の可否を制御してもよい。つまり、制御器１２３は、充電の可否を示す情報が充電可を示すとき、蓄電装置１０１の充電を許可し、充電の可否を示す情報が充電不可を示すとき、蓄電装置１０１の充電を禁止してもよい。例えば、制御器１２３は、充電の可否を示す情報に従って、電源１２８から蓄電装置１０１へ供給される電力を制御することにより、充電の可否を制御することができる。
【００７５】
また、制御器１２３は、演算処理器と、プログラムを記憶する記憶器とを備えてもよい。制御器１２３の演算処理器は、ＭＰＵまたはＣＰＵでもよい。制御器１２３の記憶器は、揮発性メモリでもよいし、不揮発性メモリでもよい。制御器１２３は、集中制御を行う単独の制御器で構成されていてもよいし、互いに協働して分散制御を行う複数の制御器で構成されていてもよい。
【００７６】
通信器１２４は、充電装置１０２が蓄電装置１０１等と通信するための構成要素である。通信器１２４は、通信インタフェースを含む処理回路でもよい。具体的には、通信器１２４は、制御器１２３が行う制御に従って、蓄電装置１０１と通信する。
【００７７】
例えば、通信器１２４は、蓄電装置１０１へ充電装置１０２の識別情報を送信してもよい。また、通信器１２４は、蓄電装置１０１から蓄電装置１０１の識別情報を受信してもよい。また、通信器１２４は、蓄電装置１０１から蓄電装置１０１の充電の可否を示す情報を受信してもよい。また、通信器１２４は、蓄電池１１１の状態を示す情報を蓄電装置１０１から受信してもよい。
【００７８】
上記の通り、蓄電装置１０１と充電装置１０２とが接続されるため、通信器１２４は、有線通信で蓄電装置１０１と通信してもよい。あるいは、通信器１２４は、Ｂｌｕｅｔｏｏｔｈ（登録商標）に代表される近距離無線通信の国際標準規格であるＩＥＥＥ８０２．１５．１規格に基づいて、蓄電装置１０１と通信してもよい。
【００７９】
表示器１２５は、情報を表示するための構成要素である。具体的には、表示器１２５は、液晶パネルでもよいし、インジケータでもよい。例えば、表示器１２５は、制御器１２３が行う制御に従って、蓄電池１１１の状態を表示してもよい。
【００８０】
通信器１２６は、充電装置１０２がサーバ装置１０４等と通信するための構成要素である。通信器１２６は、通信インタフェースを含む処理回路でもよい。具体的には、通信器１２６は、制御器１２３が行う制御に従って、ルータ１０３を介して、サーバ装置１０４と通信する。
【００８１】
例えば、通信器１２６は、サーバ装置１０４へルータ１０３を介して蓄電装置１０１の識別情報と充電装置１０２の識別情報とを送信してもよい。また、通信器１２６は、サーバ装置１０４からルータ１０３を介して蓄電装置１０１の充電の可否を示す情報を受信してもよい。
【００８２】
また、通信器１２６は、ルータ１０３を介してサーバ装置１０４と通信する際、無線ＬＡＮまたはＷｉ−Ｆｉ（登録商標）に代表される無線通信の国際標準規格であるＩＥＥＥ８０２．１１規格に基づいて、ルータ１０３と通信してもよい。あるいは、通信器１２６は、有線ＬＡＮに代表される有線通信の国際標準規格であるＩＥＥＥ８０２．３規格に基づいて、ルータ１０３と通信してもよい。
【００８３】
記憶器１２７は、情報を記憶するための構成要素である。具体的には、記憶器１２７は、不揮発性メモリでもよい。また、記憶器１２７は、読み取り専用のメモリ、つまり、書き換え不可のメモリでもよい。例えば、記憶器１２７には、充電装置１０２の識別情報が記憶されている。
【００８４】
電源１２８は、蓄電装置１０１へ電力を供給するための構成要素である。具体的には、電源１２８は、電力系統から蓄電装置１０１へ電力を供給するための電気回路である。電源１２８は、蓄電装置１０１の充電を制御するコンバータを備えていてもよい。例えば、電源１２８は、制御器１２３が行う制御に従って、電力系統から供給される交流電力を所定の電圧の直流電力に変換して、所定の電圧の直流電力を蓄電装置１０１に供給する。これにより、蓄電装置１０１が充電される。
【００８５】
課金システム１０６は、課金処理を行うための構成要素である。具体的には、課金システム１０６は、コンピュータ等のような情報処理装置でもよい。また、課金システム１０６は、複数の装置で構成されていてもよい。例えば、課金システム１０６は、蓄電装置１０１の貸与に関する料金を計算する。より具体的には、課金システム１０６は、蓄電装置１０１の充電が行われる度に、蓄電装置１０１の貸与に関する料金に充電料金を加算する。
【００８６】
ユーザ環境１０７は、充電が行われる場所である。ユーザ環境１０７は、例えば、蓄電装置１０１の借用者の家であってもよいし、事務所であってもよい。また、ここでは、ユーザ環境１０７において、充電が行われているが、ユーザ環境１０７とは異なる場所で、充電が行われてもよい。
【００８７】
なお、蓄電装置１０１の通信器１１６と、充電装置１０２の通信器１２６とのうち、一方は無くてもよい。つまり、蓄電装置１０１および充電装置１０２のうち、一方がサーバ装置１０４と通信可能であって、他方はサーバ装置１０４と通信可能でなくてもよい。
【００８８】
また、蓄電装置１０１において、通信器１１４と通信器１１６とは、１つの通信器を構成してもよい。また、充電装置１０２において、通信器１２４と通信器１２６とは、１つの通信器を構成してもよい。例えば、蓄電装置１０１が１つの無線通信器を備え、蓄電装置１０１の１つの無線通信器が、通信器１１４および通信器１１６として動作してもよい。また、充電装置１０２が１つの無線通信器を備え、充電装置１０２の１つの無線通信器が、通信器１２４および通信器１２６として動作してもよい。
【００８９】
図３は、図１等に示された充電装置１０２から蓄電装置識別情報および充電装置識別情報が送信される場合のデータ遷移を示す概念図である。図３のように、サーバ装置１０４は、受信器１４１、判定器１４２、送信器１４３および記憶器１４４を備える。
【００９０】
受信器１４１は、本開示の受信器の一例であって、情報を受信するための構成要素である。具体的には、受信器１４１は、通信インタフェースを含む処理回路でもよい。例えば、受信器１４１は、充電装置１０２および蓄電装置１０１の少なくとも一方からインターネット等の通信網を介して蓄電装置識別情報と充電装置識別情報とを受信する。
【００９１】
ここで、蓄電装置識別情報は、蓄電装置１０１の識別情報である。蓄電装置識別情報は、蓄電装置１０１の個体識別情報を含んでいてもよい。蓄電装置１０１の個体識別情報は、蓄電装置１０１に対して一意に割り当てられる識別情報であり、複数の蓄電装置から蓄電装置１０１を一意に識別するための識別情報である。蓄電装置１０１の個体識別情報は、例えば、蓄電装置１０１に対して割り当てられたシリアルナンバーである。
【００９２】
蓄電装置識別情報は、さらに、蓄電装置１０１の製造情報を含んでいてもよい。蓄電装置１０１の製造情報は、蓄電装置１０１の製造に関する情報であり、例えば、メーカー情報、製造年月日および製造ロット番号等である。蓄電装置識別情報は、さらに、蓄電装置１０１の設計情報を含んでいてもよい。蓄電装置１０１の設計情報は、蓄電装置１０１の設計に関する情報であり、例えば、品番、定格電圧、定格電流、蓄電装置１０１が備える蓄電池１１１の構成、および、蓄電池１１１の容量等である。
【００９３】
また、充電装置識別情報は、充電装置１０２の識別情報である。充電装置識別情報は、充電装置１０２の個体識別情報を含んでいてもよい。充電装置１０２の個体識別情報は、充電装置１０２に対して一意に割り当てられる識別情報であり、複数の充電装置から充電装置１０２を一意に識別するための識別情報である。充電装置１０２の個体識別情報は、例えば、充電装置１０２に対して割り当てられたシリアルナンバーである。
【００９４】
充電装置識別情報は、さらに、充電装置１０２の製造情報を含んでいてもよい。充電装置１０２の製造情報は、充電装置１０２のメーカー情報、製造年月日および製造ロット番号等である。充電装置識別情報は、さらに、充電装置１０２の設計情報を含んでいてもよい。充電装置１０２の設計情報は、充電装置１０２の品番、定格電圧および定格電流等である。
【００９５】
判定器１４２は、本開示の判定器の一例であって、充電の可否を判定するための構成要素である。判定器１４２は、充電の可否を判定する処理回路でもよい。例えば、判定器１４２は、蓄電装置識別情報と充電装置識別情報とに基づいて、蓄電装置１０１の充電の可否を判定する。
【００９６】
具体的には、判定器１４２は、受信した蓄電装置識別情報と充電装置識別情報との対応が記憶器１４４に記憶された蓄電装置識別情報と充電装置識別情報との対応に一致するか否かに基づいて、蓄電装置１０１の充電の可否を判定してもよい。
【００９７】
例えば、判定器１４２は、受信した蓄電装置識別情報と充電装置識別情報との対応が記憶器１４４に記憶された蓄電装置識別情報と充電装置識別情報との対応に一致するとき、蓄電装置１０１の充電を可と判定する。そして、判定器１４２は、受信した蓄電装置識別情報と充電装置識別情報との対応が記憶器１４４に記憶された蓄電装置識別情報と充電装置識別情報との対応に一致しないとき、蓄電装置１０１の充電を不可と判定する。
【００９８】
また、判定器１４２は、サーバ装置１０４の動作を制御する制御器でもよい。そして、判定器１４２は、演算処理器と、プログラムを記憶する記憶器とを備えてもよい。判定器１４２の演算処理器は、ＭＰＵまたはＣＰＵでもよい。判定器１４２の記憶器は、揮発性メモリでもよいし、不揮発性メモリでもよい。判定器１４２は、集中制御を行う単独の制御器で構成されていてもよいし、互いに協働して分散制御を行う複数の制御器で構成されていてもよい。
【００９９】
送信器１４３は、本開示の送信器の一例であって、情報を送信するための構成要素である。具体的には、送信器１４３は、通信インタフェースを含む処理回路でもよい。例えば、送信器１４３は、充電装置１０２および蓄電装置１０１の少なくとも一方へインターネット等の通信網を介して充電可否情報を送信する。ここで、充電可否情報は、蓄電装置１０１の充電の可否を示す情報である。
【０１００】
記憶器１４４は、本開示の記憶器の一例であって、情報を記憶するための構成要素である。具体的には、記憶器１４４は、不揮発性メモリでもよい。例えば、記憶器１４４には、蓄電装置識別情報と充電装置識別情報とが登録される。つまり、記憶器１４４には、蓄電装置識別情報と充電装置識別情報とが対応付けて記憶される。蓄電装置１０１および充電装置１０２が貸与される際に、蓄電装置識別情報と充電装置識別情報とが登録されてもよい。
【０１０１】
また、記憶器１４４には、蓄電装置１０１の正当な保有者、充電装置１０２の正当な保有者、蓄電装置１０１の正当な保有者が有する通信端末１０５、および、充電装置１０２の正当な保有者が有する通信端末１０５を示す情報が記憶されていてもよい。これらを示す情報は、蓄電装置１０１および充電装置１０２が貸与される際に記憶されてもよい。
【０１０２】
図３の例において、蓄電装置１０１は、充電装置１０２に接続される。そして、蓄電装置１０１は、蓄電装置識別情報を充電装置１０２へ送信する。充電装置１０２は、蓄電装置識別情報を受信し、インターネット等の通信網を介して、蓄電装置識別情報と充電装置識別情報とをサーバ装置１０４へ送信する。
【０１０３】
サーバ装置１０４の受信器１４１は、蓄電装置識別情報と充電装置識別情報とを受信する。そして、サーバ装置１０４の判定器１４２は、蓄電装置１０１の充電の可否を判定する。そして、サーバ装置１０４の送信器１４３は、充電装置１０２へ通信網を介して充電可否情報を送信する。
【０１０４】
充電装置１０２は、充電可否情報を受信する。充電装置１０２は、受信した充電可否情報に従って、蓄電装置１０１の充電を制御してもよい。あるいは、充電装置１０２は、受信した充電可否情報を蓄電装置１０１へ送信してもよい。そして、蓄電装置１０１が、充電可否情報を受信し、受信した充電可否情報に従って、蓄電装置１０１に対する充電を受け入れるか否かを制御してもよい。
【０１０５】
図４は、図１等に示された蓄電装置１０１から蓄電装置識別情報および充電装置識別情報が送信される場合のデータ遷移を示す概念図である。図４に示されたサーバ装置１０４は、図３に示されたサーバ装置１０４と同じである。
【０１０６】
図４の例において、蓄電装置１０１は、充電装置１０２に接続される。そして、充電装置１０２は、充電装置識別情報を蓄電装置１０１へ送信する。蓄電装置１０１は、充電装置識別情報を受信し、インターネット等の通信網を介して、蓄電装置識別情報と充電装置識別情報とをサーバ装置１０４へ送信する。
【０１０７】
サーバ装置１０４の受信器１４１は、蓄電装置識別情報と充電装置識別情報とを受信する。そして、サーバ装置１０４の判定器１４２は、蓄電装置１０１の充電の可否を判定する。そして、サーバ装置１０４の送信器１４３は、蓄電装置１０１へ通信網を介して充電可否情報を送信する。
【０１０８】
蓄電装置１０１は、充電可否情報を受信する。蓄電装置１０１は、受信した充電可否情報に従って、蓄電装置１０１に対する充電を受け入れるか否かを制御してもよい。あるいは、蓄電装置１０１は、受信した充電可否情報を充電装置１０２へ送信してもよい。そして、充電装置１０２が、充電可否情報を受信し、受信した充電可否情報に従って、蓄電装置１０１の充電を制御してもよい。
【０１０９】
なお、図３と図４とは、組み合わせられてもよい。例えば、サーバ装置１０４は、充電装置１０２から蓄電装置識別情報と充電装置識別情報とを受信し、蓄電装置１０１へ充電可否情報を送信してもよい。あるいは、サーバ装置１０４は、蓄電装置１０１から蓄電装置識別情報と充電装置識別情報とを受信し、充電装置１０２へ充電可否情報を送信してもよい。
【０１１０】
また、サーバ装置１０４は、充電装置１０２および蓄電装置１０１から充電装置識別情報および蓄電装置識別情報を受信してもよい。
【０１１１】
具体的には、充電装置１０２がサーバ装置１０４へ充電装置識別情報を送信し、蓄電装置１０１がサーバ装置１０４へ蓄電装置識別情報を送信してもよい。そして、サーバ装置１０４は、充電装置１０２から充電装置識別情報を受信し、蓄電装置１０１から蓄電装置識別情報を受信してもよい。
【０１１２】
あるいは、充電装置１０２が、充電装置識別情報と、蓄電装置１０１から受信した蓄電装置識別情報とをサーバ装置１０４へ送信し、かつ、蓄電装置１０１が、充電装置１０２から受信した充電装置識別情報と、蓄電装置識別情報とをサーバ装置１０４へ送信してもよい。そして、サーバ装置１０４は、充電装置１０２から充電装置識別情報および蓄電装置識別情報を受信し、かつ、蓄電装置１０１から充電装置識別情報および蓄電装置識別情報を受信してもよい。
【０１１３】
サーバ装置１０４が、充電装置１０２および蓄電装置１０１から充電装置識別情報および蓄電装置識別情報を受信する形態は、上記のいずれでもよい。また、サーバ装置１０４が、充電装置１０２または蓄電装置１０１へ充電可否情報を送信する際、充電装置１０２および蓄電装置１０１の一方のみに送信するだけでなく、充電装置１０２および蓄電装置１０１の両方に充電可否情報を送信してもよい。
【０１１４】
図５は、図１等に示されたサーバ装置１０４の動作を示すフローチャートである。まず、サーバ装置１０４の受信器１４１は、充電装置識別情報と蓄電装置識別情報とを充電装置１０２および蓄電装置１０１の少なくとも一方から受信する（Ｓ１０１）。次に、サーバ装置１０４の判定器１４２は、受信した蓄電装置識別情報と充電装置識別情報とから蓄電装置１０１の充電の可否を判定する（Ｓ１０２）。
【０１１５】
次に、サーバ装置１０４の送信器１４３は、充電可否情報を充電装置１０２および蓄電装置１０１の少なくとも一方へ送信する（Ｓ１０３）。
【０１１６】
上記のように、サーバ装置１０４は、蓄電装置識別情報と充電装置識別情報との両方を充電の可否の判定に用いる。充電装置１０２は、蓄電装置１０１に比べて、外に持ち出されて利用される可能性は低く、充電装置１０２の所有者以外の不正者によって利用される可能性は低い。したがって、サーバ装置１０４は、蓄電装置識別情報と充電装置識別情報との両方を用いることで、不正者により蓄電装置１０１が利用されることを抑制できる。よって、サーバ装置１０４は、蓄電装置１０１の適切な利用を支援できる。
【０１１７】
次に、図６、図７および図８を用いて、図１等に示された充電システム１００のより具体的な動作を説明する。
【０１１８】
図６、図７および図８は、図１等に示された充電システム１００の動作を示すフローチャートである。
【０１１９】
まず、蓄電装置１０１が充電装置１０２に装着される（Ｓ２０１）。つまり、蓄電装置１０１が充電装置１０２に充電のため接続される。
【０１２０】
次に、蓄電装置１０１は、蓄電装置識別情報を充電装置１０２へ送信する（Ｓ２０２）。具体的には、蓄電装置１０１は、蓄電装置１０１の記憶器１１７から蓄電装置識別情報を取得し、充電装置１０２へ送信する。充電装置１０２は、蓄電装置１０１から送信された蓄電装置識別情報を受信する。
【０１２１】
次に、充電装置１０２は、蓄電装置識別情報と充電装置識別情報とをサーバ装置１０４へ送信する（Ｓ２０３）。具体的には、充電装置１０２は、充電装置１０２の記憶器１２７から充電装置識別情報を取得する。そして、充電装置１０２は、蓄電装置１０１から受信した蓄電装置識別情報と、記憶器１２７から取得した充電装置識別情報とをサーバ装置１０４へ送信する。
【０１２２】
なお、ここでは、蓄電装置識別情報が蓄電装置１０１から充電装置１０２へ送信され、蓄電装置識別情報と充電装置識別情報とが充電装置１０２からサーバ装置１０４へ送信される。しかし、充電装置識別情報が充電装置１０２から蓄電装置１０１へ送信され、蓄電装置識別情報と充電装置識別情報とが蓄電装置１０１からサーバ装置１０４へ送信されてもよい。
【０１２３】
次に、サーバ装置１０４は、蓄電装置識別情報と充電装置識別情報とを受信する（Ｓ２０４）。そして、サーバ装置１０４は、受信した蓄電装置識別情報と充電装置識別情報とが登録されているか否かを判定する（Ｓ２０５）。つまり、サーバ装置１０４は、受信した蓄電装置識別情報と充電装置識別情報とが、サーバ装置１０４の記憶器１４４において対応付けられて記憶されている蓄電装置識別情報と充電装置識別情報とに一致するか否かを判定する。
【０１２４】
そして、サーバ装置１０４は、受信した蓄電装置識別情報と充電装置識別情報とが登録されていれば（Ｓ２０５でＹｅｓ）、充電許可を示す情報を充電装置１０２へ送信する（Ｓ２０６）。サーバ装置１０４は、受信した蓄電装置識別情報と充電装置識別情報とが登録されていなければ（Ｓ２０５でＮｏ）、充電禁止を示す情報を充電装置１０２へ送信する（Ｓ２０７）。なお、充電禁止を示す情報の送信は省略されてもよい。
【０１２５】
充電装置１０２は、サーバ装置１０４から充電許可を示す情報を受信後に、蓄電装置１０１の充電を開始する（Ｓ３０１）。そして、充電装置１０２は、充電が開始されたことを示す充電開始情報をサーバ装置１０４へ送信する（Ｓ３０２）。
【０１２６】
なお、サーバ装置１０４は、充電許可または充電禁止を示す情報を充電装置１０２へ送信する代わりに、充電許可または充電禁止を示す情報を蓄電装置１０１へ送信してもよい。そして、蓄電装置１０１は、サーバ装置１０４から充電許可を示す情報を受信後に、蓄電装置１０１に対する充電の受け入れを開始してもよい。そして、蓄電装置１０１が、充電開始情報をサーバ装置１０４へ送信してもよい。
【０１２７】
あるいは、蓄電装置１０１は、サーバ装置１０４から充電許可を示す情報を受信後に、充電許可を示す情報を充電装置１０２へ送信してもよい。そして、充電装置１０２は、蓄電装置１０１から充電許可を示す情報を受信後に、蓄電装置１０１の充電を開始してもよい。そして、充電装置１０２は、充電開始情報をサーバ装置１０４へ送信してもよい。
【０１２８】
サーバ装置１０４は、充電開始情報を受信した後、課金処理を行う（Ｓ３０３）。例えば、サーバ装置１０４は、課金システム１０６を含む場合、蓄電装置１０１の貸与に関する料金に蓄電装置１０１の充電料金を加算する。サーバ装置１０４は、課金システム１０６を含まない場合、外部の課金システム１０６に充電の開始を通知してもよい。
【０１２９】
次に、充電装置１０２は、充電が完了したか否かを判定する（Ｓ３０５）。そして、充電装置１０２は、充電が完了するまで、充電が完了したか否かの判定を繰り返す。そして、充電装置１０２は、充電が完了すれば、充電を停止する（Ｓ３０６）。なお、充電装置１０２は、蓄電装置１０１の異常な電圧上昇、蓄電装置１０１の異常な電流上昇、または、蓄電装置１０１の異常な温度上昇等を検知した場合も、充電を停止する。充電装置１０２は、蓄電装置１０１が充電装置１０２から取り外された場合も、充電を停止する。
【０１３０】
その後、サーバ装置１０４は、充電の結果を通信端末１０５へ送信する（Ｓ４０１）。本例では、充電の結果には、充電許可を示す情報、充電禁止を示す情報が含まれる。なお、充電の結果には、充電許可を示す情報を含まず、充電禁止を示す情報を含み、充電が禁止された場合にのみ、サーバ装置１０４が、通信端末１０５に充電禁止を示す情報を送信する形態であってもよい。つまり、充電の結果には、少なくとも充電禁止を示す情報が含まれていればよい。また、充電の結果には、蓄電装置１０１の充電が正常に終了したことを示す正常終了情報、充電が異常に終了したことを示す異常終了情報、充電開始時刻、充電終了時刻、および、充電中または充電終了後の蓄電装置１０１の状態を示す情報等が含まれていてもよい。上記正常終了情報及び異常終了情報は、蓄電装置１０１及び充電装置１０２の少なくとも一方からサーバ装置１０４に送信される。そして、サーバ装置１０４は、充電の結果を記憶器１４４に記憶させる（Ｓ４０２）。
【０１３１】
上記の動作では、サーバ装置１０４で受信した蓄電装置識別情報と充電装置識別情報とが登録されていなければ（Ｓ２０５でＮｏ）、充電が行われない。したがって、不正者によって蓄電装置１０１が利用されることが抑制される。また、蓄電装置１０１の借用者に対する不適切な課金の発生が抑制される。これにより、サーバ装置１０４は、蓄電装置１０１の適切な利用を支援することができる。
【０１３２】
図９は、図１等に示された充電システム１００の動作の第１変形例を示すフローチャートである。具体的には、図９は、図６に示された動作の第１変形例を示す。
【０１３３】
図６の例では、サーバ装置１０４で受信した充電装置識別情報と蓄電装置識別情報とが登録されていれば（Ｓ２０５でＹｅｓ）、充電が行われ、これらが登録されていなければ（Ｓ２０５でＮｏ）、充電が行われない。本変形例では、これらが登録されていなければ（Ｓ２０５でＮｏ）、蓄電装置１０１または充電装置１０２の正当な保有者が有する通信端末１０５に問い合わせが送信され、その応答に基づいて充電の可否が制御される。
【０１３４】
具体的には、サーバ装置１０４は、図６の例と同様に、受信した充電装置識別情報と蓄電装置識別情報とが登録されているか否かを判定する（Ｓ２０５）。そして、サーバ装置１０４は、受信した蓄電装置識別情報と充電装置識別情報とが登録されていれば（Ｓ２０５でＹｅｓ）、充電許可を示す情報を充電装置１０２へ送信する（Ｓ２０６）。サーバ装置１０４は、充電許可を示す情報を蓄電装置１０１へ送信してもよい。
【０１３５】
サーバ装置１０４は、受信した蓄電装置識別情報と充電装置識別情報とが登録されていなければ（Ｓ２０５でＮｏ）、蓄電装置１０１の充電の可否の問い合わせを外部の通信端末１０５へ送信する（Ｓ５０１）。通信端末１０５は、蓄電装置１０１の正当な保有者が有する通信端末と、充電装置１０２の正当な保有者が有する通信端末とのうち少なくとも一方である。例えば、蓄電装置１０１の正当な保有者は、蓄電装置１０１の借用者であり、充電装置１０２の正当な保有者は、充電装置１０２の借用者である。
【０１３６】
サーバ装置１０４は、蓄電装置１０１の正当な保有者が有する通信端末１０５へ問い合わせを送信してもよいし、充電装置１０２の正当な保有者が有する通信端末１０５へ問い合わせを送信してもよい。また、サーバ装置１０４は、蓄電装置１０１の正当な保有者が有する通信端末１０５、および、充電装置１０２の正当な保有者が有する通信端末１０５の両方に問い合わせを送信してもよい。
【０１３７】
そして、サーバ装置１０４は、通信端末１０５から問い合わせに対する応答を受信する（Ｓ５０２）。そして、サーバ装置１０４は、充電が可であることを応答が示しているか、充電が不可であることを応答が示しているかを判定する（Ｓ５０３）。
【０１３８】
ここで、充電が可であることを応答が示している場合（Ｓ５０３でＹｅｓ）、サーバ装置１０４は、受信した蓄電装置識別情報と充電装置識別情報とを登録する。つまり、サーバ装置１０４は、受信した蓄電装置識別情報と充電装置識別情報とを対応付けて記憶器１４４に記憶させる。
【０１３９】
サーバ装置１０４は、受信した蓄電装置識別情報と充電装置識別情報とを対応付けて記憶器１４４に記憶させた後、充電許可を示す情報を充電装置１０２へ送信する（Ｓ２０６）。サーバ装置１０４は、充電許可を示す情報を蓄電装置１０１へ送信してもよい。
【０１４０】
ここで、充電が可であることを応答が示していない場合（Ｓ５０３でＮｏ）、つまり、充電が不可であることを応答が示している場合、サーバ装置１０４は、充電禁止を示す情報を充電装置１０２へ送信する（Ｓ２０７）。サーバ装置１０４は、充電禁止を示す情報を蓄電装置１０１へ送信してもよい。また、充電禁止を示す情報の送信は省略されてもよい。
【０１４１】
また、例えば、サーバ装置１０４は、蓄電装置１０１の保有者が有する通信端末１０５と、充電装置１０２の保有者が有する通信端末１０５との両方または一方から、充電可を示す応答を受信した場合、蓄電装置識別情報と充電装置識別情報とを登録してもよい。そして、この場合、サーバ装置１０４は、充電許可を示す情報を充電装置１０２および蓄電装置１０１の少なくとも一方へ送信してもよい。
【０１４２】
また、例えば、サーバ装置１０４は、これらの２つの通信端末１０５の両方または一方から、充電不可を示す応答を受信した場合、蓄電装置識別情報と充電装置識別情報とを登録しなくてもよい。そして、この場合、サーバ装置１０４は、充電禁止を示す情報を充電装置１０２および蓄電装置１０１の少なくとも一方へ送信してもよい。
【０１４３】
上記の動作によって、サーバ装置１０４は、適宜、蓄電装置１０１の正当な保有者、および、充電装置１０２の正当な保有者のうち少なくとも一方に対して、充電の可否を問い合わせることができる。そして、サーバ装置１０４は、記憶器１４４に記憶された情報、または、問い合わせに対する応答に基づいて、蓄電装置１０１の充電の可否を適切に判定することができる。
【０１４４】
また、上記の動作では、サーバ装置１０４は、問い合わせに対する応答に基づいて、蓄電装置識別情報と充電装置識別情報とを登録する（Ｓ５０４）。つまり、サーバ装置１０４は、問い合わせに対する応答に基づいて、蓄電装置識別情報と充電装置識別情報とを対応付けて記憶器１４４に記憶させる。これにより、サーバ装置１０４は、次回の充電時における問い合わせの送信と応答の受信とを省略することができる。
【０１４５】
なお、問い合わせに対する応答に基づいて、蓄電装置識別情報と充電装置識別情報とを登録する処理（Ｓ５０４）は、省略されてもよい。この場合、サーバ装置１０４は、充電の都度、問い合わせの送信と応答の受信とを行うことにより、充電の可否を判定してもよい。
【０１４６】
図１０は、図１等に示された充電システム１００の動作の第２変形例を示すフローチャートである。具体的には、図１０は、図６に示された動作の第２変形例を示す。本変形例では、蓄電装置１０１が盗難されていれば、蓄電装置識別情報と充電装置識別情報とが登録されているか否かにかかわらず、充電が禁止される。
【０１４７】
具体的には、まず、サーバ装置１０４は、盗難情報を受信する（Ｓ６０１）。盗難情報は、例えば、蓄電装置１０１が盗難されたことを示す情報、および、盗難された蓄電装置１０１の識別情報を含む。サーバ装置１０４は、通信端末１０５から盗難情報を受信してもよいし、その他の装置から盗難情報を受信してもよい。以下、盗難された蓄電装置１０１の識別情報を盗難蓄電装置識別情報と呼ぶ場合がある。
【０１４８】
そして、蓄電装置１０１が充電装置１０２に装着されてから（Ｓ２０１）、サーバ装置１０４が蓄電装置識別情報と充電装置識別情報とを受信するまで（Ｓ２０４）、図６に示された動作と同様の動作が行われる。
【０１４９】
次に、サーバ装置１０４は、蓄電装置１０１が盗難されているか否かを判定する（Ｓ６０２）。
【０１５０】
例えば、充電装置識別情報とともに受信した蓄電装置識別情報が、蓄電装置１０１が盗難されたことを示す情報とともに受信した盗難蓄電装置識別情報に一致すれば、サーバ装置１０４は、蓄電装置１０１が盗難されていると判定する。一方、充電装置識別情報とともに受信した蓄電装置識別情報が、蓄電装置１０１が盗難されたことを示す情報とともに受信した盗難蓄電装置識別情報に一致しなければ、サーバ装置１０４は、蓄電装置１０１が盗難されていないと判定する。
【０１５１】
ここで、サーバ装置１０４は、蓄電装置１０１が盗難されていると判定すると（Ｓ６０２でＹｅｓ）、充電禁止を示す情報を充電装置１０２へ送信する（Ｓ２０７）。
【０１５２】
一方、サーバ装置１０４は、蓄電装置１０１が盗難されていないと判定すると（Ｓ６０２でＮｏ）、図６で示された動作と同様に、受信した蓄電装置識別情報と充電装置識別情報とが登録されているか否かを判定する（Ｓ２０５）。そして、判定結果に従って、サーバ装置１０４は、充電許可または充電禁止を示す情報を充電装置１０２へ送信する（Ｓ２０６またはＳ２０７）。
【０１５３】
上記の動作によって、サーバ装置１０４は、盗難された蓄電装置１０１が利用されることを抑制することができる。したがって、サーバ装置１０４は、蓄電装置１０１の不適切な利用を抑制することができ、蓄電装置１０１の適切な利用を支援することができる。
【０１５４】
なお、図１０の例において、図６の例と同様に、充電許可または充電禁止を示す情報は、蓄電装置１０１へ送信されてもよい。また、充電禁止を示す情報の送信は省略されてもよい。また、図１０の例は、図９の例と組み合わされてもよい。
【０１５５】
例えば、蓄電装置識別情報と充電装置識別情報とが登録されていない場合（Ｓ２０５でＮｏ）、問い合わせの送信（Ｓ５０１）、および、応答の受信（Ｓ５０２）等が行われてもよい。そして、蓄電装置１０１が盗難されている場合（Ｓ６０２でＹｅｓ）には、問い合わせの送信（Ｓ５０１）、および、応答の受信（Ｓ５０２）等が行われなくてもよい。あるいは、蓄電装置１０１が盗難されている場合（Ｓ６０２でＹｅｓ）にも、問い合わせの送信（Ｓ５０１）、および、応答の受信（Ｓ５０２）等が行われてもよい。
【０１５６】
図１１は、図１等に示された充電システム１００の動作の第３変形例を示すフローチャートである。具体的には、図１１は、図６に示された動作の第３変形例を示す。
【０１５７】
本変形例では、蓄電装置セキュリティキーおよび充電装置セキュリティキーによって蓄電装置識別情報および充電装置識別情報の読み取り可否が判定される。各セキュリティキーは、例えば、文字列で構成される。蓄電装置セキュリティキーは、蓄電装置１０１のセキュリティキーであって、蓄電装置識別情報の読み取り可否の判定に用いられる情報である。充電装置セキュリティキーは、充電装置識別情報のセキュリティキーであって、充電装置識別情報の読み取り可否の判定に用いられる情報である。
【０１５８】
具体的には、本変形例において、まず、図６の例と同様に、蓄電装置１０１が充電装置１０２に装着される（Ｓ２０１）。
【０１５９】
次に、蓄電装置１０１は、蓄電装置識別情報と蓄電装置セキュリティキーとを充電装置１０２へ送信する（Ｓ７０１）。具体的には、蓄電装置１０１は、蓄電装置１０１の記憶器１１７から蓄電装置識別情報と蓄電装置セキュリティキーとを取得し、充電装置１０２へ送信する。充電装置１０２は、蓄電装置１０１から送信された蓄電装置識別情報と蓄電装置セキュリティキーとを受信する。
【０１６０】
次に、充電装置１０２は、蓄電装置識別情報と蓄電装置セキュリティキーと充電装置識別情報と充電装置セキュリティキーとをサーバ装置１０４へ送信する（Ｓ７０２）。
【０１６１】
具体的には、充電装置１０２は、充電装置１０２の記憶器１２７から充電装置識別情報と充電装置セキュリティキーとを取得する。そして、充電装置１０２は、蓄電装置１０１から受信した蓄電装置識別情報および蓄電装置セキュリティキーと、記憶器１２７から取得した充電装置識別情報および充電装置セキュリティキーとをサーバ装置１０４へ送信する。
【０１６２】
なお、ここでは、蓄電装置識別情報と蓄電装置セキュリティキーとが蓄電装置１０１から充電装置１０２へ送信される。そして、蓄電装置識別情報と蓄電装置セキュリティキーと充電装置識別情報と充電装置セキュリティキーとが充電装置１０２からサーバ装置１０４へ送信される。
【０１６３】
しかし、充電装置識別情報と充電装置セキュリティキーとが充電装置１０２から蓄電装置１０１へ送信されてもよい。そして、蓄電装置識別情報と蓄電装置セキュリティキーと充電装置識別情報と充電装置セキュリティキーとが蓄電装置１０１からサーバ装置１０４へ送信されてもよい。
【０１６４】
次に、サーバ装置１０４は、蓄電装置識別情報と蓄電装置セキュリティキーと充電装置識別情報と充電装置セキュリティキーとを受信する（Ｓ７０３）。そして、サーバ装置１０４は、蓄電装置セキュリティキーおよび充電装置セキュリティキーに基づいて、蓄電装置識別情報および充電装置識別情報の読み取り可否を判定する（Ｓ７０４）。
【０１６５】
具体的には、サーバ装置１０４は、蓄電装置セキュリティキーが予め定められた情報に一致すれば、蓄電装置識別情報を読み取り可と判定し、蓄電装置セキュリティキーが予め定められた情報に一致しなければ、蓄電装置識別情報を読み取り不可と判定する。同様に、サーバ装置１０４は、充電装置セキュリティキーが予め定められた情報に一致すれば、充電装置識別情報を読み取り可と判定し、充電装置セキュリティキーが予め定められた情報に一致しなければ、充電装置識別情報を読み取り不可と判定する。
【０１６６】
例えば、上記の予め定められた情報は、サーバ装置１０４の記憶器１４４に記憶されていてもよい。あるいは、上記の予め定められた情報は、予め定められた規則に基づいて生成される情報でもよい。蓄電装置セキュリティキーは、蓄電装置１０１を認証するための認証キーでもよい。充電装置セキュリティキーは、充電装置１０２を認証するための認証キーでもよい。
【０１６７】
サーバ装置１０４は、蓄電装置識別情報および充電装置識別情報の両方を読み取り可と判定すると（Ｓ７０４でＹｅｓ）、蓄電装置識別情報および充電装置識別情報の両方を読み取る。そして、サーバ装置１０４は、読み取られた蓄電装置識別情報および充電装置識別情報が登録されているか否かを判定する（Ｓ２０５）。
【０１６８】
読み取られた蓄電装置識別情報および充電装置識別情報が登録されていれば（Ｓ２０５でＹｅｓ）、サーバ装置１０４は、充電許可を示す情報を充電装置１０２へ送信する（Ｓ２０６）。読み取られた蓄電装置識別情報および充電装置識別情報が登録されていなければ（Ｓ２０５でＮｏ）、サーバ装置１０４は、充電禁止を示す情報を充電装置１０２へ送信する（Ｓ２０７）。
【０１６９】
サーバ装置１０４は、蓄電装置識別情報および充電装置識別情報の少なくとも一方を読み取り不可と判定すると（Ｓ７０４でＮｏ）、蓄電装置識別情報および充電装置識別情報を読み取らずに、充電禁止を示す情報を充電装置１０２へ送信する（Ｓ２０７）。
【０１７０】
上記のように、サーバ装置１０４は、蓄電装置セキュリティキーおよび充電装置セキュリティキーを用いることにより、蓄電装置識別情報および充電装置識別情報に対する信憑性を高めることができる。そして、サーバ装置１０４は、いわゆる成り済ましによって蓄電装置１０１が不適切に利用されたり、課金処理が不適切に行われたりする弊害を抑制することができる。
【０１７１】
なお、図１１の例において、図６の例と同様に、充電許可または充電禁止を示す情報は、蓄電装置１０１へ送信されてもよい。また、充電禁止を示す情報の送信は省略されてもよい。また、図１１の例は、図９の例と組み合わされてもよいし、図１０の例と組み合わされてもよい。
【０１７２】
例えば、サーバ装置１０４は、蓄電装置識別情報および充電装置識別情報の両方を読み取り可と判定した後（Ｓ７０４でＹｅｓ）、蓄電装置１０１が盗難されているか否かを判定してもよい（Ｓ６０２）。そして、サーバ装置１０４は、蓄電装置１０１が盗難されていないと判定された後（Ｓ６０２でＮｏ）、蓄電装置識別情報および充電装置識別情報が登録されているか否かを判定してもよい（Ｓ２０５）。
【０１７３】
上記の通り、本実施の形態におけるサーバ装置１０４は、受信器１４１、判定器１４２および送信器１４３を備える。サーバ装置１０４は、さらに、記憶器１４４を備えてもよい。受信器１４１は、充電装置識別情報と蓄電装置識別情報とを充電装置１０２および蓄電装置１０１の少なくとも一方から受信する。ここで、充電装置識別情報は、充電装置１０２の識別情報であって、充電装置１０２の個体識別情報を含む。蓄電装置識別情報は、蓄電装置１０１の識別情報であって、蓄電装置１０１の個体識別情報を含む。
【０１７４】
判定器１４２は、受信器１４１で受信した充電装置識別情報と蓄電装置識別情報とから、蓄電装置１０１の充電の可否を判定する。送信器１４３は、蓄電装置１０１の充電の可否を示す情報を充電装置１０２および蓄電装置１０１の少なくとも一方へ送信する。
【０１７５】
これにより、サーバ装置１０４は、蓄電装置識別情報と充電装置識別情報との両方を充電の可否の判定に用いることができる。充電装置１０２は、蓄電装置１０１に比べて、外に持ち出されて利用される可能性は低く、充電装置１０２の所有者以外の不正者によって利用される可能性は低い。したがって、サーバ装置１０４は、蓄電装置識別情報と充電装置識別情報との両方を用いることで、不正者により蓄電装置１０１が利用されることを抑制することができ、蓄電装置１０１の適切な利用を支援することができる。
【０１７６】
判定器１４２は、蓄電装置識別情報と充電装置識別情報とを対応付けて記憶器１４４に記憶させる制御器でもよい。例えば、蓄電装置１０１および充電装置１０２が貸与される際、記憶器１４４に、蓄電装置識別情報と充電装置識別情報とが対応付けて記憶される。
【０１７７】
そして、判定器１４２は、受信した蓄電装置識別情報と充電装置識別情報との対応が記憶器１４４に記憶された蓄電装置識別情報と充電装置識別情報との対応に一致する場合、蓄電装置１０１の充電を可と判定してもよい。そして、判定器１４２は、受信した蓄電装置識別情報と充電装置識別情報との対応が記憶器１４４に記憶された蓄電装置識別情報と充電装置識別情報との対応に一致しない場合、蓄電装置１０１の充電を不可と判定してもよい。
【０１７８】
これにより、サーバ装置１０４は、記憶器１４４に記憶された情報に基づいて、蓄電装置１０１の充電の可否を適切に判定することができる。
【０１７９】
また、送信器１４３は、受信した蓄電装置識別情報と充電装置識別情報との対応が記憶器１４４に記憶された蓄電装置識別情報と充電装置識別情報との対応に一致しない場合、蓄電装置１０１の充電の可否の問い合わせを外部の通信端末１０５へ送信してもよい。例えば、通信端末１０５は、蓄電装置１０１の保有者が有する通信端末、および、充電装置１０２の保有者が有する通信端末の少なくとも一方である。
【０１８０】
そして、問い合わせが通信端末１０５へ送信された後、蓄電装置１０１の充電が不可であることを示す応答情報を通信端末１０５から受信器１４１が受信すると、判定器１４２は蓄電装置１０１の充電を不可と判定してもよい。蓄電装置１０１の充電が可であることを示す応答情報を通信端末１０５から受信器１４１が受信すると、判定器１４２は蓄電装置１０１の充電を可と判定してもよい。
【０１８１】
これにより、サーバ装置１０４は、適宜、蓄電装置１０１の正当な保有者、および、充電装置１０２の正当な保有者のうち少なくとも一方に対して、充電の可否を問い合わせることができる。そして、サーバ装置１０４は、記憶器１４４に記憶された情報、または、問い合わせに対する応答に基づいて、蓄電装置１０１の充電の可否を適切に判定することができる。
【０１８２】
また、蓄電装置１０１の充電が可であることを示す応答情報を通信端末１０５から受信器１４１が受信すると、判定器１４２は、受信した蓄電装置識別情報と充電装置識別情報とを対応付けて記憶器１４４に記憶させてもよい。
【０１８３】
これにより、サーバ装置１０４は、問い合わせに対する応答に基づいて、蓄電装置識別情報と充電装置識別情報とを適切に対応付けて記憶器１４４に記憶させることができる。
【０１８４】
また、受信器１４１は、蓄電装置１０１が盗難されたことを示す情報と、盗難蓄電装置識別情報とを受信してもよい。ここで、盗難蓄電装置識別情報は、盗難された蓄電装置１０１の識別情報である。そして、判定器１４２は、蓄電装置識別情報が盗難蓄電装置識別情報であるとき、蓄電装置識別情報と充電装置識別情報との対応に依らず、蓄電装置１０１の充電を不可と判定してもよい。そして、送信器１４３は、蓄電装置１０１の充電が不可であることを示す情報を充電装置１０２および蓄電装置１０１の少なくとも一方へ送信してもよい。
【０１８５】
これにより、サーバ装置１０４は、盗難された蓄電装置１０１が利用されることを抑制することができる。したがって、サーバ装置１０４は、蓄電装置１０１の不適切な利用を抑制することができ、蓄電装置１０１の適切な利用を支援することができる。
【０１８６】
また、蓄電装置識別情報は、蓄電装置１０１の製造情報および設計情報の少なくとも一方を含んでもよい。これにより、蓄電装置識別情報に対する信憑性が高められる。また、サーバ装置１０４は、蓄電装置１０１の製造情報または設計情報に従って、蓄電装置１０１の充電の可否を適切に判定することができる。したがって、サーバ装置１０４は、蓄電装置１０１の不適切な利用を抑制することができる。
【０１８７】
また、充電装置識別情報は、充電装置１０２の製造情報および設計情報の少なくとも一方を含んでもよい。これにより、充電装置識別情報に対する信憑性が高められる。また、サーバ装置１０４は、充電装置１０２の製造情報または設計情報に従って、蓄電装置１０１の充電の可否を適切に判定することができる。したがって、サーバ装置１０４は、蓄電装置１０１の不適切な利用を抑制することができる。
【０１８８】
また、受信器１４１は、充電装置識別情報と蓄電装置識別情報とともに、蓄電装置セキュリティキーと充電装置セキュリティキーとを受信してもよい。ここで、蓄電装置セキュリティキーは、蓄電装置１０１のセキュリティキーである。また、充電装置セキュリティキーは、充電装置１０２のセキュリティキーである。
【０１８９】
そして、判定器１４２は、受信した蓄電装置セキュリティキーと充電装置セキュリティキーとに基づいて蓄電装置識別情報と充電装置識別情報との読み取りの可否を決定してもよい。そして、判定器１４２は、蓄電装置識別情報と充電装置識別情報との読み取りを可と決定すると、蓄電装置識別情報と充電装置識別情報とを読み取り、読み取った蓄電装置識別情報と充電装置識別情報とから蓄電装置１０１の充電の可否を判定してもよい。
【０１９０】
これにより、蓄電装置識別情報および充電装置識別情報に対する信憑性が高められる。したがって、蓄電装置１０１の不適切な利用が抑制される。
【０１９１】
また、上記の説明において、充電の可否を示す情報は、充電の可または充電の不可を示す情報である。したがって、充電の可否を示す情報は、充電の可を示す情報でもよいし、充電の不可を示す情報でもよい。また、充電の可否は、充電の許否を意味してもよい。つまり、充電可は充電許可を意味してもよいし、充電不可は充電禁止を意味してもよい。
【０１９２】
また、充電の可否の判定に、記憶器１４４が用いられなくてもよい。例えば、サーバ装置１０４は、適宜、通信端末１０５に問い合わせを送信し、通信端末１０５から受信する応答に基づいて、充電の可否を判定してもよい。あるいは、サーバ装置１０４は、蓄電装置識別情報と充電装置識別情報とが予め定められた基準に適合するか否かに基づいて、充電の可否を判定してもよい。
【０１９３】
以上のように、本開示におけるサーバ装置等によって、蓄電装置の適切な利用が支援される。
【０１９４】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行器が、ハードディスクまたは半導体メモリなどの記録媒体に記録されたソフトウェアプログラムを読み出して実行することによって実現されてもよい。ここで、上記実施の形態のサーバ装置などを実現するソフトウェアは、次のようなプログラムである。
【０１９５】
すなわち、このプログラムは、コンピュータに、充電装置の個体識別情報を含む前記充電装置の識別情報と前記充電装置に接続された蓄電装置の個体識別情報を含む前記蓄電装置の識別情報とを前記充電装置及び前記蓄電装置の少なくとも一方から受信するステップ（ａ）と、前記ステップ（ａ）で受信した前記蓄電装置の識別情報と前記充電装置の識別情報とから前記蓄電装置の充電の可否を判定するステップ（ｂ）と、判定された前記蓄電装置の充電の可否を示す情報を前記充電装置及び前記蓄電装置の少なくとも一方に送信するステップ（ｃ）とを備えるサーバ装置の制御方法を実行させる。
【０１９６】
また、上記実施の形態において、各構成要素は、回路でもよい。複数の構成要素が、全体として１つの回路を構成してもよいし、それぞれ別々の回路を構成してもよい。また、回路は、それぞれ、汎用的な回路でもよいし、専用の回路でもよい。
【０１９７】
以上、一つまたは複数の態様に係るサーバ装置などについて、実施の形態に基づいて説明したが、本開示は、この実施の形態に限定されるものではない。本開示の趣旨を逸脱しない限り、当業者が思いつく各種変形を本実施の形態に施したもの、及び異なる実施の形態における構成要素を組み合わせて構築される形態も、一つまたは複数の態様の範囲内に含まれてもよい。
【０１９８】
例えば、上記実施の形態において、特定の構成要素が実行する処理を特定の構成要素の代わりに別の構成要素が実行してもよい。また、複数の処理の順序が変更されてもよいし、複数の処理が並行して実行されてもよい。
【産業上の利用可能性】
【０１９９】
本開示は、蓄電装置の充電の可否を判定するサーバ装置等に利用可能であり、蓄電装置の充電システム、蓄電装置の貸与システム、蓄電装置の管理システム、および、課金システム等に適用可能である。
【符号の説明】
【０２００】
１００  充電システム
１０１  蓄電装置
１０２  充電装置
１０３  ルータ
１０４  サーバ装置
１０５  通信端末
１０６  課金システム
１０７  ユーザ環境
１１１  蓄電池
１１２  検知器
１１３、１２３  制御器
１１４、１１６、１２４、１２６  通信器
１１５、１２５  表示器
１１７、１２７、１４４  記憶器
１２８  電源
１４１  受信器
１４２  判定器
１４３  送信器
【図１】
2017123768.tif 000003
【図２】
2017123768.tif 000004
【図３】
2017123768.tif 000005
【図４】
2017123768.tif 000006
【図５】
2017123768.tif 000007
【図６】
2017123768.tif 000008
【図７】
2017123768.tif 000009
【図８】
2017123768.tif 000010
【図９】
2017123768.tif 000011
【図１０】
2017123768.tif 000012
【図１１】
2017123768.tif 000013